(57)【要約】【課題】液口栓の雄ネジ部を液口の内周の雌ネジ部に螺合させる際に、液口栓が液口に対して傾くのを防止して、液口栓の取り付けを容易にした鉛蓄電池を提供する。【解決手段】液口栓８の筒状部８０２が液口７を通して電槽１内に挿入されて液口栓８の雄ネジ部８０３が液口７の雌ネジ部７０４に螺合される過程で、雄ネジ部８０３が雌ネジ部７０４との螺合を開始する位置に達する前に液口栓８の筒状部８０２の外周に嵌合して液口栓８の雄ネジ部の中心軸線を液口７の雌ネジ部の中心軸線に一致させるように液口栓８を位置決めする液口栓位置決め部２０を電槽の蓋部３の下面側に設けた。【選択図】    図５
2009081051.tif 000002
【特許請求の範囲】
【請求項１】
内部に極板群が電解液と共に収容され、内周に雌ネジ部を有する液口が蓋部に形成された電槽と、頭部と該頭部の下端から下方に延びる断面が円形の筒状部と該筒状部の上部の外周に形成された雄ネジ部とを有して前記筒状部が前記液口を通して前記電槽内に挿入されるとともに前記雄ネジ部が前記雌ネジ部に螺合されて前記電槽の蓋部に取り付けられた液口栓とを備えた鉛蓄電池において、
前記液口栓の筒状部が前記液口を通して電槽内に挿入されて前記雄ネジ部が前記雌ネジ部に螺合される過程で、前記雄ネジ部が前記雌ネジ部との螺合を開始する位置に達する前に前記液口栓の筒状部の外周に嵌合して前記液口栓の雄ネジ部の中心軸線を前記液口の雌ネジ部の中心軸線に一致させるように前記液口栓を位置決めする液口栓位置決め部が、前記蓋部の下面側に設けられていることを特徴とする鉛蓄電池。
【請求項２】
前記液口栓位置決め部は、前記筒状部の外周に嵌合する内周面を有して前記液口の径方向に相対するように配置された１対の位置決め片からなっていて、該１対の位置決め片の上端が前記液口の下端の開口部の周辺部に一体化され、
前記１対の位置決め片はそれぞれの下端が前記電槽内の電解液の上限レベルに相当する位置で終端するように設けられていて、該１対の位置決め片が前記電槽内における電解液の上限レベルを規定する電解液面レベル規定用突起を兼ねている請求項１に記載の鉛蓄電池。
【請求項３】
前記液口栓は、前記筒状部の下端に該筒状部の径方向に開口部した通気口を有し、前記液口栓の雄ネジ部と前記液口の雌ネジ部との螺合が完了した状態で前記液口栓の通気口が前記１対の位置決め片の間に位置した状態になるように前記１対の位置決め片と前記雄ネジ部及び雌ネジ部とが設けられている請求項２に記載の鉛蓄電池。
【発明の詳細な説明】
【技術分野】
【０００１】
本発明は、電槽の蓋部に設けられた液口に液口栓が取り付けられた鉛蓄電池に関するものである。
【背景技術】
【０００２】
鉛蓄電池は、電槽本体と該電槽本体の上端の開口部を閉じる蓋部とからなっていて、内部が複数のセル室に区画された電槽を備えている。電槽の内部の各セル室内には、極板群が電解液と共に収容されている。電槽の蓋部には、各セル室内に連通させて液口が設けられ、各液口を閉じるように液口栓が取り付けられる。各液口の内周には、液口栓を取り付けるために用いる雌ネジ部が形成されている。液口栓は、少なくとも一部が電槽の外部に露呈される頭部と該頭部の下端から下方に延びる断面が円形の筒状部と該筒状部の上部の外周に形成された雄ネジ部とを有し、筒状部が液口を通して電槽内に挿入されるとともに雄ネジ部が雌ネジ部に螺合されて電槽の蓋部に取り付けられる。この種の鉛蓄電池は例えば特許文献１に示されている。
【０００３】
この種の鉛蓄電池を組み立てる際には、電槽内の各セル室内に極板群を収容した後、隣接するセル室内の極板群の中間極柱を、セル室間の隔壁を貫通する貫通溶接部（セル間接続部）により電気的に接続し、電槽本体の上端の開口部を閉じるように蓋部を配置して該蓋部を電槽本体にヒートシール（熱溶着）により接合する。その後、蓋部に設けられた各液口から各セル室内に電解液を注入し、各液口を液口栓により閉じる。
【特許文献１】特開平１１−３４５６０５号公報
【発明の開示】
【発明が解決しようとする課題】
【０００４】
上記のように、電槽の蓋部に設けられた液口の内周のネジ部に液口栓の雄ネジ部を螺合させて液口栓を電槽の蓋部に取り付けるようにした鉛蓄電池においては、液口栓が液口に挿入されて、液口栓の雄ネジ部が液口の内周の雌ネジ部との螺合を開始する際に、液口栓の中心軸線が液口の中心軸線に対して傾いた状態になることがあるため、両ネジ部がスムーズに噛み合わいで、液口栓の取り付けに手間取ったり、液口栓が傾いた状態で無理にネジ部が螺合させられて、ねじ山が損傷したりするおそれがあった。
【０００５】
本発明の目的は、液口栓が液口に挿入されて、液口栓の雄ネジ部と液口の内周の雌ネジ部との螺合が開始される際に、液口栓の中心軸線が液口の中心軸線に対して傾いた状態になるのを防止して、ねじ山の損傷を招くことなく、液口栓の取り付けを常に容易に行なわせることができるようにした鉛蓄電池を提供することにある。
【課題を解決するための手段】
【０００６】
本発明は、内部に極板群が電解液と共に収容され、内周に雌ネジ部を有する液口が蓋部に形成された電槽と、頭部と該頭部の下端から下方に延びる断面が円形の筒状部と該筒状部の上部の外周に形成された雄ネジ部とを有して筒状部が液口を通して電槽内に挿入されるとともに雄ネジ部が雌ネジ部に螺合されて電槽の蓋部に取り付けられた液口栓とを備えた鉛蓄電池に係わるものである。
【０００７】
本発明においては、液口栓の筒状部が液口を通して電槽内に挿入されて雄ネジ部が雌ネジ部に螺合される過程で、雄ネジ部が雌ネジ部との螺合を開始する位置に達する前に液口栓の筒状部の外周に嵌合して液口栓の雄ネジ部の中心軸線を液口の雌ネジ部の中心軸線に一致させるように液口栓を位置決めする液口栓位置決め部が、蓋部の下面側に設けられている。
【０００８】
上記のように構成すると、液口に挿入された液口栓の雄ネジ部が液口の内周の雌ネジ部との螺合を開始する前に、液口栓の筒状部を液口栓位置決め部に嵌合させて、液口栓の雄ネジ部の中心軸線を液口の雌ネジ部の中心軸線に一致させることができるので、液口栓の雄ネジ部が液口の内周の雌ネジ部との螺合を開始する際には、必ず液口栓の中心軸線を液口の中心軸線に一致させた状態にすることができる。従って、液口栓の雄ネジ部を液口の内周の雌ネジ部に螺合させる際に、液口栓の中心軸線が液口の中心軸線に対して傾くのを防ぐことができ、液口栓を取り付ける際に液口栓及び液口のねじ山が損傷したり、液口栓のねじ込みが困難になったりするのを防ぐことができる。
【０００９】
本発明の好ましい態様では、上記液口栓位置決め部が、筒状部の外周に嵌合する内周面を有して液口の径方向に相対するように配置された１対の位置決め片により構成されて、該１対の位置決め片の上端が液口の下端の開口部の周辺部に一体化される。この場合、１対の位置決め片は、それぞれの下端が電槽内の電解液の上限レベルに相当する位置で終端するように設けられていて、該１対の位置決め片が電槽内における電解液の上限レベルを規定する電解液面レベル規定用突起を兼ねる。
【００１０】
上記のように構成すると、液口栓位置決め部に電解液の上限レベルを規定するために電槽の蓋部の下面に設ける電解液面レベル規定用突起の位置を、該突起に液口栓を位置決めする機能を持たせるのに適した位置に定めるだけで、液口栓位置決め部を設けることができるため、電槽の蓋部の構成を何等複雑にすることなく、液口栓の傾きを防ぐ機能を持たせることができる。
【００１１】
鉛蓄電池に用いる液口栓においては、その筒状部の下端に、該筒状部の径方向に開口した通気口が設けられることが多い。この場合には、液口栓の雄ネジ部と液口の雌ネジ部との螺合が完了した状態で液口栓の通気口が１対の位置決め片の間に位置した状態になるように、１対の位置決め片と液口栓の雄ネジ部及び液口の雌ネジ部とを設けることが好ましい。
【００１２】
上記のように構成しておくと、液口栓の下端の通気口を１対の位置決め片の間の空所に開口させることができるため、該通気口が液口栓位置決め部により塞がれるのを防ぐことができる。
【発明の効果】
【００１３】
上記のように、本発明によれば、液口に挿入された液口栓の雄ネジ部が液口の内周の雌ネジ部との螺合を開始する前に、液口栓の筒状部を液口栓位置決め部に嵌合させて、液口栓の雄ネジ部の中心軸線を液口の雌ネジ部の中心軸線に一致させることができるので、液口栓の雄ネジ部を液口の内周の雌ネジ部に螺合させる際に、必ず液口栓の中心軸線を液口の中心軸線に一致させた状態にすることができる。従って、液口栓の雄ネジ部を液口の内周の雌ネジ部に螺合させる際に、液口栓の中心軸線が液口の中心軸線に対して傾いた状態になるのを防ぐことができ、液口栓を取り付ける際に液口栓及び液口のねじ山が損傷したり、液口栓のねじ込みが困難になったりするのを防ぐことができる。
【００１４】
本発明において、液口の径方向に相対するように配置されて上端が液口の下端の開口部の周辺部に一体化された１対の位置決め片により液口栓位置決め部を構成して、該１対の位置決め片のそれぞれの下端を電槽内の電解液の上限レベルに相当する位置で終端させるようにした場合には、該１対の位置決め片に電槽内における電解液の上限レベルを規定する電解液面レベル規定用突起を兼ねさせることができるため、電槽の蓋部の構成を何等複雑にすることなく、液口栓の傾きを防ぐ機能を持たせることができる。
【発明を実施するための最良の形態】
【００１５】
以下図面を参照して、本発明の好ましい実施形態を詳細に説明する。図１ないし図７は本発明の実施形態を示したもので、図１は本発明の実施形態に係わる鉛蓄電池の要部の構成を示す縦断面図、図２（Ａ）は本実施形態で用いる液口栓を一部断面して示した正面図、同図（Ｂ）は、本発明に係わる鉛蓄電池で用いる液口栓の変形例を一部断面して示した正面図、図３は本実施形態に係わる鉛蓄電池の電槽の蓋部の液口の部分と液口栓位置決め部の部分とを示した縦断面図、図４は、図３に示された部分の要部を下方から見た底面図である。また図５は、本実施形態において液口に液口栓を取り付ける過程を示した断面図、図６は本実施形態において液口に液口栓を取り付けた状態を示した断面図、図７は、図６に示された部分の要部を下方から見た底面図である。
【００１６】
図１において、１は、上端が開口した直方体状の電槽本体２と該電槽本体の開口部を閉じる蓋部３とからなる電槽で、電槽１内は、その長手方向に沿って並ぶ複数のセル室に区画されている。図１には一つのセル室４が示されている。各セル室４内には、極板群５が電解液６とともに収容されている。蓋部３には、各セル室内に連通させて液口７が設けられ、各液口７に液口栓８が取り付けられている。
【００１７】
図３に示したように、各液口７は、電槽の蓋部３を貫通して設けられた第１の部分７０１と、第１の部分７０１の下端の周辺部から下方に突出したボス部７０２の内側に形成された第２の部分７０３とからなっており、第１の部分７０１の内径が第２の部分７０３の内径より大きく設定されている。液口の第２の部分７０３の内周に雌ネジ部７０４を規定するほぼ１ターンの螺旋状のネジ山７０５が形成されている。
【００１８】
液口栓８は、図１（Ａ）に示すように、液口７内に嵌り込む大きさの下半部８０１ａ及び電槽の蓋部の上面から上方に突出した状態で配置される上半部８０１ｂからなる円板状の頭部８０１と、頭部８０１の下端から下方に延びる断面が円形の筒状部８０２とを一体に有し、筒状部８０２の上部寄りの部分の外周に、液口７の雌ネジ部７０４に螺合する雄ネジ部８０３が形成されている。筒状部８０２の下端は該筒状部の軸線に対して傾斜した状態で設けられた底壁部８０４により閉鎖され、底壁部８０４の最下端部と筒状部８０２の周壁部８０２ａの最下端部とに跨って、筒状部の径方向に開口する開口部８０５ａと下方に開口した開口部８０５ｂとを有する通気口８０５が形成されている。頭部８０１には、筒状部８０２内を外気に連通させる排気孔８０１ｃが形成され、筒状部８０２の内部には、該筒状部内に侵入した電解液が排気孔８０１ｃから外部に漏れるのを阻止するための防沫板（図示せず。）などが設けられている。通気口８０５から液口栓８の筒状部８０２内に侵入した電解液は、筒状部８０２内の防沫板により阻止されて底板８０４上に落下し、底板８０４の傾斜面に沿って通気口８０５に導かれて該通気孔から電槽内に戻される。
【００１９】
極板群５は例えば、陰極板と陽極板とをセパレータを介して交互に積層した構造を有し、その上端には、一連の陰極板のそれぞれの上部に設けられた耳部を相互に接続する陰極ストラップ１０と、一連の陽極板のそれぞれの上部に設けられた耳部を相互に接続する陽極ストラップ１１とが設けられている。電槽の端部に設けられたセル室以外の各セル室内の陰極ストラップ１０及び陽極ストラップ１１は、セル室間を仕切る隔壁を貫通した図示しないセル間接続部を通して、隣接のセル室内の陰極ストラップ及び陽極ストラップに接続される。
【００２０】
本発明においては、液口栓８の筒状部８０２が液口７を通して電槽１内に挿入されて雄ネジ部８０３が雌ネジ部７０４に螺合される過程で、雄ネジ部８０３が雌ネジ部７０４との螺合を開始する位置に達する前に液口栓８の筒状部８０２の外周に嵌合して液口栓８の雄ネジ部８０３の中心軸線を液口７の雌ネジ部７０４の中心軸線に一致させるように液口栓８を位置決めする液口栓位置決め部２０が、蓋部３の下面側に設けられている。
【００２１】
液口栓位置決め部２０は、液口栓８の筒状部８０２の外周に嵌合して液口栓８の雄ネジ部８０３の中心軸線を液口７の雌ネジ部７０４の中心軸線に一致させるように液口栓８を位置決めし得る形状を有するものであればよいが、本実施形態では、液口栓位置決め部２０が、液口栓８の筒状部８０２の外周に嵌合する内周面２０a1，２０a1を有して、それぞれの内周面を対向させて液口７の径方向に相対するように配置された１対の位置決め片２０ａ，２０ａからなっており、１対の位置決め片２０ａ，２０ａの上端が液口７の下端の開口部の周辺部に一体化されている。これらの位置決め片は、電槽の蓋部３を成形する際に形成することができる。１対の位置決め片２０ａ，２０ａのそれぞれは、横断面が円弧状を呈する板状の部材からなっていて、それぞれの内周面２０a1，２０a1は、中心軸線が液口７の中心軸線と一致する円筒面となっており、１対の位置決め片２０ａ，２０ａの内周面２０a1，２０a1に液口栓８の筒状部８０２を嵌合させた際に、液口栓８の雄ネジ部８０３の中心軸線を液口７の雌ネジ部の中心軸線に一致させるように液口栓８を位置決めする。
【００２２】
１対の位置決め片２０ａ，２０ａは、それぞれの下端が電槽１内における電解液６の上限レベルに相当する位置で終端するように設けられていて、１対の位置決め片２０ａ，２０ａが電槽内における電解液の上限レベルを規定する電解液面レベル規定用突起を兼ねるようになっている。即ち、液口７を覗いて見た電解液の液面が位置決め片２０ａ，２０ａの下端の位置に達しているときに、電解液の液面レベルが上限に達しているように、１対の位置決め片２０ａ，２０ａの下端の位置が設定されている。
【００２３】
また本発明においては、液口栓８の雄ネジ部８０３と液口の雌ネジ部７０４との螺合が完了した状態で、図７に示すように液口栓の通気口８０５が１対の位置決め片２０ａ，２０ａの間に位置した状態になるように、位置決め片２０ａ，２０ａと雄ネジ部８０３及び雌ネジ部７０４とが設けられている。
【００２４】
本実施形態の鉛蓄電池において、液口栓８を液口７に取り付ける際には、図５に示すように液口栓８の筒状部８０２を液口７内に挿入する。液口栓８の筒状部８０２を液口７に挿入すると、雄ネジ部８０３が雌ネジ部７０４に接する前に、図５に示したように筒状部８０２が位置決め片２０ａ，２０ａの内周に嵌合する。これにより、液口栓８が液口７に対して傾かない状態に位置決めされ、雄ネジ部８０３の中心軸線が雌ネジ部７０４の中心軸線に一致させられる。従って、雄ネジ部８０３が雌ネジ部７０４に当った後、液口栓８を回転させることにより、雄ネジ部８０３を雌ネジ部７０４に正しく螺合させることができ、液口栓８を止まるまで回転させて締め付けることにより、図６に示すように雄ネジ部８０３と雌ネジ部７０４との螺合を完了させて液口栓８を電槽の蓋部に正しく取り付けることができる。本実施形態では、このように液口栓８の雄ネジ部８０３と液口の雌ネジ部７０４との螺合が完了した状態で、図７に示すように液口栓の通気口８０５が１対の位置決め片２０ａ，２０ａの間に位置した状態になるように、位置決め片２０ａ，２０ａと雄ネジ部８０３及び雌ネジ部７０４とが設けられているため、通気口８０５が位置決め片２０ａ，２０ａにより塞がれるのを防ぐことができる。
【００２５】
上記の実施形態のように、液口栓の通気口が筒状部８０２の径方向に開口部８０５ａを有する場合には、該開口部８０５ａを塞がないように、液口栓８の雄ネジ部８０３と液口の雌ネジ部７０４との螺合が完了した状態で、液口栓の通気口８０５が１対の位置決め片２０ａ，２０ａの間に位置した状態になるように、位置決め片２０ａ，２０ａと雄ネジ部８０３及び雌ネジ部７０４とを設けることが好ましい。しかしながら、本発明はこのように構成する場合に限定されるものではなく、液口栓８の通気口８０５が下方にも開口部８０５ｂを有している場合には、図８及び図９に示したように、液口栓８の雄ネジ部８０３と液口の雌ネジ部７０４との螺合が完了した状態で、液口栓８の通気口８０５が一方の位置決め片２０ａ，２０ａの内周に対向した状態になるように位置決め片２０ａ，２０ａと雄ネジ部及び雌ネジ部とを設けてもよい。このように構成した場合も、液口栓８の下方への開口部８０５ｂを通して排気を行なうことができるため、支障を来さない。
【００２６】
上記の実施形態では、液口栓８の底壁部８０４が傾斜させられていたが、液口栓の構成は上記の例に限定されない。例えば、図２（Ｂ）に示すように、液口栓８が筒状部８０２の中心軸線と直交するように設けられた底壁部８０４′を有して、該底壁部８０４′の中央部に通気口８０５′が形成される場合にも本発明を適用することができる。この場合には、液口栓８の取り付けを完了した状態での、液口栓８の周方向位置と位置決め片２０ａ，２０ａとの間の関係に特別の配慮をする必要はない。
【実施例１】
【００２７】
液口栓位置決め部を有しないＢ１９サイズのトップフラット形の電槽の蓋部を従来例のサンプルとして作成した。また図１ないし図７に示した実施形態と同様に液口の下端に１対の位置決め片を一体化して設けたＢ１９サイズのトップフラット形の電槽の蓋部を本発明の実施例に係わるサンプルとして作成した。これらのサンプルを用いて、下記の第１ないし第３の実験を行なった。
【００２８】
第１の実験では、液口栓を特別の治具を用いて液口に対して傾かないようにガイドしつつ、従来例として作成したＢ１９サイズの電槽の蓋部の液口に挿入し、該液口栓の雄ネジ部を液口の雌ネジ部に螺合させて、液口栓をいっぱいに締め付けた状態での蓋部の上面からの液口栓の頭部の突出高さを測定した。
第２の実験では、従来例として作成したＢ１９サイズの電槽の蓋部の液口に、液口栓を該液口に対する傾斜が最大になるようにして挿入し、液口栓の雄ネジ部を液口の雌ネジ部に螺合させて、液口栓をいっぱいに締め付けた状態での蓋部の上面からの液口栓の頭部の突出高さを測定した。この場合、液口栓の液口に対する最大傾斜角は約８°であった。
第３の実験では、本発明の実施例に係わるもととして作成したＢ１９サイズの電槽の蓋部の液口に、液口栓を該液口に対する傾きが最大になるようにして挿入し、液口栓の雄ネジ部を液口の雌ネジ部に螺合させて、液口栓をいっぱいに締め付けた状態での蓋部の上面からの液口栓の頭部の突出高さを測定した。この場合、液口栓の液口に対する最大傾斜角は約３°であった。
【００２９】
上記第１の実験ないし第３の実験をそれぞれ３個のサンプルについて行って、蓋部の上面からの液口栓の頭部の突出高さの最高値（頭部の各部の内、蓋部の上面から最も突出している部分の突出高さ）と最低値（頭部の各部の内、蓋部の上面から最も突出していない部分の突出高さ）とを測定した結果を図１０に示した。図１０においては、第１の実験ないし第３の実験の結果をそれぞれ「正立時」、「従来品」及び「発明品」として、突出高さの最低値を白抜きの棒グラフで示し、突出高さの最高値を内側に斜線を施した棒グラフで示した。図１０に示した最低値及び最高値は、３つのサンプルについて測定された最低値及び最高値の平均値を示している。
【実施例２】
【００３０】
液口栓位置決め部を有しないＤ２６サイズのトップフラット形の電槽の蓋部を従来例のサンプルとして作成した。また図１ないし図７に示した実施形態と同様に液口の下端に１対の位置決め片を一体化して設けたＤ２６サイズのトップフラット形の電槽の蓋部を本発明の実施例に係わるサンプルとして作成した。これらのサンプルを用いて、実施例１と同様に下記の第１ないし第３の実験を行なった。
【００３１】
第１の実験では、液口栓を特別の治具により液口に対して傾かないようにガイドしつつ、従来例として作成したＤ２６サイズの電槽の蓋部の液口に挿入し、液口栓の雄ネジ部を液口の雌ネジ部に螺合させて、液口栓をいっぱいに締め付けた状態での液口栓の頭部の各部の蓋部上面からの突出高さを測定した。
第２の実験では、従来例として作成したＤ２６サイズの電槽の蓋部の液口に、液口栓を該液口に対する傾斜が最大になるようにして挿入し、液口栓の雄ネジ部を液口の雌ネジ部に螺合させて、液口栓をいっぱいに締め付けた状態で、液口栓の頭部の各部の蓋部上面からの突出高さを測定した。この場合、液口栓の液口に対する最大傾斜角は約１３°であった。
第３の実験では、本発明の実施例に係わるもととして作成したＤ２６サイズの電槽の蓋部の液口に、液口栓を該液口に対する傾きが最大になるようにして挿入して、液口栓の雄ネジ部を液口の雌ネジ部に螺合させ、液口栓をいっぱいに締め付けた状態で、液口栓の頭部の各部の蓋部の上面からの突出高さを測定した。この場合、液口栓の液口に対する最大傾斜角は約５°であった。
【００３２】
上記第１の実験ないし第３の実験をそれぞれ３個のサンプルについて行って、液口栓の頭部の各部の蓋部上面からの突出高さの最高値と最低値とを測定した結果を図１１に示した。図１１においても、第１の実験ないし第３の実験の結果をそれぞれ「正立時」、「従来品」及び「発明品」として、突出高さの最低値を白抜きの棒グラフで示し、突出高さの最高値を内部に斜線を施した棒グラフで示した。
【００３３】
上記実施例１及び実施例２から、本発明を適用したサンプルでは、従来品よりも約２倍程度液口栓の頭部の傾斜角を小さくできることが確認された。
【図面の簡単な説明】
【００３４】
【図１】本発明の実施形態に係わる鉛蓄電池の要部の構成を示す縦断面図である。
【図２】（Ａ）は本実施形態で用いる液口栓を一部断面して示した正面図である。（Ｂ）は、本発明に係わる鉛蓄電池で用いる液口栓の変形例を一部断面して示した正面図である。
【図３】本実施形態に係わる鉛蓄電池の電槽の蓋部の液口の部分と液口栓位置決め部の部分とを示した縦断面図である。
【図４】図３に示された部分の要部を下方から見た底面図である。
【図５】本実施形態において液口に液口栓を取り付ける過程を示した断面図である。
【図６】本実施形態において液口に液口栓を取り付けた状態を示した断面図である。
【図７】図６に示された部分の要部を下方から見た底面図である。
【図８】本発明の他の実施形態において、液口に液口栓を取り付けた状態を示した断面図である。
【図９】図８に示された部分の要部を下方から見た底面図である。
【図１０】液口に液口栓を取り付けた際に生じる液口栓の傾きの程度を、特定の鉛蓄電池について調べた実験結果を示すグラフである。
【図１１】液口に液口栓を取り付けた際に生じる液口栓の傾きの程度を、他の特定の鉛蓄電池について調べた実験結果を示すグラフである。
【符号の説明】
【００３５】
１  電槽
２  電槽本体
３  蓋部（電槽蓋）
４  セル室
５  極板群
６  電解液
７  液口
７０４  雌ネジ
８  液口栓
８０１  頭部
８０２  筒状部
８０３  雄ネジ部
１０  陰極ストラップ
１１  陽極ストラップ
【図１】
2009081051.tif 000003
【図２】
2009081051.tif 000004
【図３】
2009081051.tif 000005
【図４】
2009081051.tif 000006
【図５】
2009081051.tif 000007
【図６】
2009081051.tif 000008
【図７】
2009081051.tif 000009
【図８】
2009081051.tif 000010
【図９】
2009081051.tif 000011
【図１０】
2009081051.tif 000012
【図１１】
2009081051.tif 000013